(57)【要約】【課題】  医薬品容器内の薬剤を使用するときの誤使用を防止するために、注射器や輸液容器などに貼付する部分を容易に分離することができ、かつ、製造コストの低減を図ることが可能な医薬品容器用ラベル及びそのラベルを貼付した医薬品容器を提供する。【解決手段】ラベル本体１０と、そのラベル本体１０と同一面内に一体的に形成され、点線状のミシン目線等の分断部３を分断して該ラベル本体１０から分離可能であるとともに、その分離を開始するためのつまみ部２１を有する分離ラベル部２０とを含み構成され、つまみ部２１は、先端部２１ａがラベル本体１０を含むラベル全体の周縁部１ａの一部を構成し、基端部２１ｂが分断部３の端部３ａに対応してつまみ部２１に隣接するラベル本体１０の一端縁１０ａの内側に位置するとともに、基端部２１ｂから先端部２１ａに向かって延出されるその両側縁２１ｃがラベル本体１０から分断されるように形成されている。【選択図】図１
2008268567.tif 000002
【特許請求の範囲】
【請求項１】
医薬品の容器の外周面に周方向に沿って貼り付けられる医薬品容器用ラベルであって、
裏面に形成される粘着層によって前記容器の外周面に貼り付けられるラベル本体と、
そのラベル本体と同一面内に一体的に形成され、点線状のミシン目線等の分断部を分断して該ラベル本体から分離可能であるとともに、その分離を開始するためのつまみ部を有する分離ラベル部と、を含み構成され、
前記つまみ部は、先端部が前記ラベル本体を含むラベル全体の周縁部の一部を構成し、基端部が前記分断部の端部に対応して当該つまみ部に隣接する前記ラベル本体の一端縁の内側に位置するとともに、前記基端部から前記先端部に向かって延出されるその両側縁が前記ラベル本体から分断されるように形成されており、
前記つまみ部の基端部が前記容器の軸線方向に沿うように前記ラベル本体と前記分離ラベル部とが分離前の状態において一体的に該容器の外周面に貼付されたとき、前記軸線方向から見て、前記つまみ部が基端部の接線方向に延出するように当該容器の外周面から立ち上がることを特徴とする医薬品容器用ラベル。
【請求項２】
前記つまみ部は、裏面が前記容器の外周面と粘着しない非粘着面とされて前記容器の外周面から立ち上がるとともに、該つまみ部の両側縁に隣接する前記ラベル本体のつまみ隣接部の裏面には前記粘着層が形成されて、該容器の外周面に粘着されている請求項１に記載の医薬品容器用ラベル。
【請求項３】
前記つまみ部は、前記ラベル全体の周縁部の一端縁で構成されるラベル端部において、所定の間隔を隔てて２本の切込線が形成されることにより、前記基端部がラベル本体の一端縁の内側に位置し前記両側縁が前記ラベル本体から分断されて形成される請求項１又は２に記載の医薬品容器用ラベル。
【請求項４】
前記切込線は、所定の幅を有し、前記つまみ部と前記ラベル本体とが切込線によって離間した状態で形成されている請求項３に記載の医薬品容器用ラベル。
【請求項５】
前記切込線は、前記ラベル全体の一端縁から前記分断部の端部に向かうほど幅が狭くなるように形成されている請求項４に記載の医薬品容器用ラベル。
【請求項６】
前記つまみ部は、該つまみ部に隣接する前記ラベル本体の一端縁よりも突出しないように形成されている請求項１ないし５のいずれか１項に記載の医薬品容器用ラベル。
【請求項７】
前記分離ラベル部は、前記つまみ部以外の残余の部分が前記ラベル本体に取り囲まれて形成されている請求項１ないし６のいずれか１項に記載の医薬品容器用ラベル。
【請求項８】
請求項１ないし７のいずれか１項に記載の医薬品容器用ラベルが貼付されたことを特徴とする医薬品容器。
【発明の詳細な説明】
【技術分野】
【０００１】
本発明は、医薬品容器用ラベル及びそのラベルが貼付された医薬品容器に関する。
【背景技術】
【０００２】
一般に、アンプルやバイアル、或いは注射筒に予め薬剤を入れたシリンジなどの医薬品容器には、内容物を識別するためにラベルが貼付されている。このようなラベルは、紙や合成樹脂などからなるラベル基材の裏面に粘着剤が塗布され、表面には薬剤名や内容量などの情報が印刷されている。
【０００３】
医療現場において、医薬品容器に入れられた薬剤は、薬剤名の表記がない注射器に移し替えられて患者に投与されたり、点滴の輸液容器に混注して使用されたりする。この場合、看護師などの医療従事者が薬剤を注射器などに移し替えた後、直ぐに患者に投与すればよいが、その状態で一旦席を離れたりすると、戻ってきたときに薬剤を取り間違えてしまう恐れがあり、また勘違いにより重複して薬剤を誤使用（誤投与）してしまう恐れがある。そして、使用した薬剤を記録のために診療簿に記入する際に間違えて記録してしまう恐れがある。
【０００４】
ところで、特許文献１には、上記したような誤使用を防止するために、薬剤名などが印刷された部分がシール（分離部）になっており、この分離部をめくり取るように分離して注射器や輸液容器、或いは診療簿などに貼付することができる薬剤管理用ラベル（医薬品容器用ラベル）が開示されている。そして、この薬剤管理用ラベル（医薬品容器用ラベル）の分離部は、めくり易いように指をかけるため（つまむため）の突部が突出形態をなして形成されている。
【特許文献１】特開２００６−５５３９２号公報
【０００５】
ここで、このような医薬品容器用ラベル１００は、図８に示すように、医薬品容器１０４に図示しないラベル貼付装置により貼付される前は、例えば紙などの台紙１０３に保持（貼付）されている。通常、このような医薬品容器用ラベル１００は、台紙１０３に積層されたラベル基材を抜き型を使用してその台紙１０３を残しながらカッティング（型抜き）を行うとともに、印刷等を施して製造（形成）される。
【０００６】
しかしながら、医薬品容器用ラベル１００には、分離部１０１の突部１０２が形成されているため、医薬品容器１００内の薬剤を使用したときにその突部１０２をつまむことで容易に医薬品容器１００から分離部１０２を分離することができるが、その突部１０２に対応して台紙１０３の幅を広く形成しなければならず（幅広な部分Ｗ）、また、ラベル基材においては、医薬品容器用ラベル１００として利用されない無駄な部分Ｖが発生してしまい歩留りがよくなく、製造コストの増加の要因となっている。
【発明の開示】
【発明が解決しようとする課題】
【０００７】
本発明は上記実情に鑑みなされたものであり、医薬品容器内の薬剤を使用するときの誤使用を防止するために、注射器や輸液容器などに貼付する部分を容易に分離することができ、かつ、製造コストの低減を図ることが可能な医薬品容器用ラベル及びそのラベルを貼付した医薬品容器を提供することにある。
【課題を解決するための手段及び発明の効果】
【０００８】
上記課題を解決するために、本発明の医薬品容器用ラベルは、
医薬品の容器の外周面に周方向に沿って貼り付けられる医薬品容器用ラベルであって、
裏面に形成される粘着層によって容器の外周面に貼り付けられるラベル本体と、
そのラベル本体と同一面内に一体的に形成され、点線状のミシン目線等の分断部を分断して該ラベル本体から分離可能であるとともに、その分離を開始するためのつまみ部を有する分離ラベル部と、を含み構成され、
つまみ部は、先端部がラベル本体を含むラベル全体の周縁部の一部を構成し、基端部が分断部の端部に対応して当該つまみ部に隣接するラベル本体の一端縁の内側に位置するとともに、基端部から先端部に向かって延出されるその両側縁がラベル本体から分断されるように形成されており、
つまみ部の基端部が容器の軸線方向に沿うようにラベル本体と分離ラベル部とが分離前の状態において一体的に該容器の外周面に貼付されたとき、軸線方向から見て、つまみ部が基端部の接線方向に延出するように当該容器の外周面から立ち上がることを特徴とする。
【０００９】
また、上記課題を解決するために、本発明の医薬品容器用ラベルは、
医薬品の容器の外周面に周方向に沿って貼り付けられる医薬品容器用ラベルであって、
容器に収容された内容物の情報を表示する第１表示部を有し、裏面に形成される粘着層によって容器の外周面に貼り付けられるラベル本体と、
該情報を表示する第２表示部を有し、ラベル本体と同一面内に一体的に形成され、点線状のミシン目線等の分断部を分断して該ラベル本体から分離可能であり、その分離を開始するためのつまみ部を有する分離ラベル部と、を含み構成され、
つまみ部は、先端部がラベル本体を含むラベル全体の周縁部の一部を構成し、基端部が分断部の端部に対応して当該つまみ部に隣接するラベル本体の一端縁の内側に位置するとともに、基端部から先端部に向かって延出されるその両側縁がラベル本体から分断されるように形成されており、
つまみ部の基端部が容器の軸線方向に沿うようにラベル本体と分離ラベル部とが分離前の状態において一体的に該容器の外周面に貼付されたとき、軸線方向から見て、つまみ部が基端部の接線方向に延出するように当該容器の外周面から立ち上がることを特徴とする。
【００１０】
これらの医薬品容器用ラベルは、ラベル本体と分離ラベル部とが同一面内に一体的に形成され、分断部を介してラベル本体から分離ラベル部が分離可能となっている。そして、分離ラベル部には、ラベル本体からの分離を開始するためのつまみ部が形成されている。また、医薬品容器用ラベルは、医薬品容器の外周面に周方向に沿って貼り付けられる。その時、つまみ部は、容器の外周面から基端部の接線方向（軸線方向からみて）に延出するように立ち上がって（浮き上がる）形成される。これによれば、つまみ部が容器の外周面に沿って貼り付かず、容器の外周面から立ち上がって形成されるので、つまみ部を指等で簡単に摘むことが可能となり、そのつまみ部を介して容易に分離部をラベル本体（医薬品容器）から分離することができる。ひいては、分離した分離ラベル部を、例えば医薬品容器の内容物を移し替えた注射器や輸液容器などに貼付することで、その注射器や輸液容器を使用することきの誤使用防止を図ることができる。
【００１１】
また、つまみ部は、基端部がラベル本体の一端縁の内側に位置するとともに、両側縁がラベル本体から分断されるように形成されている。これによれば、つまみ部の基端部がラベルの周縁部から奥まって形成されるので、つまみ部をラベル本体の一端縁から無駄に突出させる必要がなくなり、ラベル基材に対する医薬品容器用ラベルの使用量（歩留り）を高くすることができる。すなわち、ラベル基材やその台紙の幅（面積）を小さくすることができ、製造コストの低減を図ることができる。
【００１２】
したがって、つまみ部を該つまみ部に隣接するラベル本体の一端縁よりも突出しないように形成することが好ましい。これによれば、つまみ部がラベル全体から突出しないので、より製造コストの低減を図ることができる。
【００１３】
具体的に、分離ラベル部においてつまみ部は、裏面が容器の外周面と粘着しない非粘着面とされて容器の外周面から立ち上がるとともに、該つまみ部の両側縁に隣接するラベル本体のつまみ隣接部の裏面には粘着層が形成されて、該容器の外周面に粘着された構成とすることができる。これによれば、つまみ部を摘んで分離ラベル部を分離する際に、つまみ部の両側がしっかりと粘着（固定）されているので、つまみ部を引っ張る力が分散されず、分断部を分断し易くなっている。
【００１４】
また、このつまみ部は、ラベル全体の周縁部の一端縁で構成されるラベル端部において、所定の間隔を隔てて２本の切込線が形成されることにより、基端部がラベル本体の一端縁の内側に位置し両側縁がラベル本体から分断して形成することができる。これによれば、例えば医薬品容器用ラベルを形成するラベル基材から医薬品容器用ラベルを型抜きする抜き型などに複雑な設計変更を必要とせず、所定の間隔を隔てて２本の切込線を入れるだけという簡単な工程でつまみ部の基端部を周縁部から内側に形成することができる。
【００１５】
この場合に、切込線は、所定の幅を有し、つまみ部とラベル本体とが切込線によって離間した状態で形成することが好ましい。すなわち、つまみ部とラベル本体とを離間させることで、ラベル本体の裏面に形成される粘着層が濡れ広がってしまった場合にも、その粘着層の影響をつまみ部が受けず、問題なく容器の外周面から立ち上がるように形成することができ、つまみ部を容易に摘むことができる形態を保持することができる。
【００１６】
また、切込線は、ラベル全体の一端縁から分断部の端部に向かうほど幅が狭くなるように形成することが好ましい。すなわち、分断部の端部に向かって幅が狭くなるように形成することが好ましい。これにより、つまみ部を摘んで引っ張る時に、分断部にその引っ張りによる荷重を集中させることができ、効率よく分離ラベル部をラベル本体から分離することができる。
【００１７】
見方を換えると、分離ラベル部は、つまみ部以外の残余の部分がラベル本体に取り囲まれて形成することができる。これによれば、分離ラベル部がラベル本体を縦断又は横断することがないので、端から捲れ上がるといったことがなくなり、医薬品容器の外周面にラベル本体を安定した状態で保持することができる（取り残すことができる）。そして、分離ラベル部はラベル本体に取り囲まれて形成されるので、分離ラベル部の位置、大きさ、形状等をラベル全体の中で自由度を持って形成することが可能となる。例えば、分離ラベル部を小さく形成した場合には、診療簿に貼付して記録用として残しておく際にも邪魔にならない。また、反対に分離ラベル部を大きく形成した場合には、より目立たすことが可能となり、誤使用を効果的に防止することができる。
【００１８】
そこで、上記課題を解決するために、本発明の医薬品容器は、
以上のような医薬品容器用ラベルが貼付されたことを特徴とする。
【００１９】
これによって、医薬品容器内の薬剤を使用するときの誤使用を防止するために、注射器や輸液容器などに貼付する部分を容易に分離することができ、かつ、製造コストの低減を図ることが可能な医薬品容器用ラベルを有する医薬品容器を実現することができる。
【発明を実施するための最良の形態】
【００２０】
以下、本発明の実施形態を図面を参照しつつ説明する。図１は本発明の実施形態に係る医薬品容器用ラベルの表面図、裏面図及びＡ−Ａ断面図、図２は図１のＢ部分における要部拡大図、図３は本発明の実施形態に係る医薬品容器の斜視図及び要部拡大図、図４は図３における軸線Ｏ１方向から見た一部省略した拡大図である。
【００２１】
図１及び図３に示すように、医薬品容器用ラベル１（以下、単にラベル１ともいう）は、アンプルやバイアル、或いは注射筒に予め薬剤を入れたシリンジなどの医薬品容器２（以下、単に容器２ともいう）の外周面２ａに周方向に沿って貼り付けられる。また、ラベル１は、正面視（表面）において矩形形状をなし、例えばミシン目線などの点線状の孔（例えば、Ｙ字状の切込み孔）で形成される分断部３が設けられ、その分断部３によって区画されることによりラベル本体１０と分離ラベル部２０とを含み構成されている。ラベル１は、例えば紙や合成紙、又はポリエステル系等の合成樹脂シートで形成されている。
【００２２】
また、ラベル１は、裏面に粘着層４及び非粘着層５（非粘着面）を有する積層構造をなし、粘着面と非粘着面とをパターン形成している（図１（ｃ）参照）。そして、ラベル１は、その裏面に形成される粘着層４（粘着面）によって容器２の外周面２ａに貼り付けられる。なお、非粘着層５は、粘着層４の上に所謂糊殺し処理を施したものであり、同場所に粘着層４を塗布しないようにパターン形成することで非接着面を構成してもよい。
【００２３】
図１（ａ）に示すように、ラベル本体１０と分離ラベル部２０とは、同一面内に一体的に形成されており、分断部３を分断することで、分離ラベル部２０がラベル本体１０から分離可能である。そして、分離ラベル部２０には、その分離を開始するためのつまみ部２１が設けられている。図１（ｂ）に示すように、非粘着層５（非粘着面）は、つまみ部２１と分断部３に沿った領域とに対応して粘着層４が表出しないように形成されており、分離ラベル部２０をラベル本体１０から簡単に分離できるように形成されている。
【００２４】
また、ラベル１は、容器２の内容物に係る薬剤情報を表示するための第１表示部Ｄ１がラベル本体１０に、同情報を表示するための第２表示部Ｄ２が分離ラベル部２０に印刷形成されている。ここで、薬剤情報とは、例えば薬剤名、製造番号、使用期限、内容量などの情報であり、それらの情報を符号化したコード（これらの情報を１次元コードや２次元コードなどで表示したもの）などを印刷形成することもできる（図１（ａ）参照）。
【００２５】
次に、本発明に係るラベル１の要部である分離ラベル部２０及びそのつまみ部２１について説明する。まず、分離ラベル部２０は、つまみ部２１以外の残余の部分がラベル本体１０に取り囲まれて形成されている。すなわち、つまみ部２１の先端部２１ａが、ラベル全体（ラベル１）の周縁部１ａの一部を構成するように形成されている。ここで、ラベル本体１０において、つまみ部２１の先端部２１ａを含むラベル全体（ラベル１）の周縁部１ａの一端縁（図１（ａ）中左側端縁）を構成するラベル本体１０の一端縁をつまみ部形成端縁１０ａという。
【００２６】
見方を換えれば、ラベル全体（ラベル１）の周縁部１ａの一端縁で構成されるラベル端部（本実施例においては図中左側端部）は、所定の間隔を隔てて２本の切込線２２，２２（図２参照）が形成されることにより、ラベル本体１０のつまみ部形成端縁１０ａとつまみ部２１（分離ラベル部２０）の先端部２１ａとによって構成されている。
【００２７】
そして、切込線２２，２２は、分断部３の端部３ａに対応して形成されている。これにより、つまみ部２１は、基端部２１ｂが分断部３の端部３ａに対応して形成される。すなわち、つまみ部２１の基端部２１ｂは、ラベル本体１０のつまみ部形成端縁１０ａよりも内側に奥まって形成（位置）されている。そして、つまみ部２１は、その基端部２１ｂから先端部２１ａに向かって延出される両側縁２１ｃ，２１ｃがラベル本体１０から分断されるように形成されている。
【００２８】
具体的には、図２に示すように、つまみ部２１の先端部２１ａとラベル本体１０のつまみ部形成端縁１０ａとが直線Ｌ１の延長線上で重なるように形成されている。すなわち、つまみ部２１は、つまみ部２１に隣接するラベル本体１０のつまみ部形成端縁１０ａよりも突出しないように形成されている。これにより、図８に示すように、従来の突部を有するラベルを製造する際に発生していたラベル基材の突部に起因する利用されない無駄な部分Ｖやそれに伴う幅広な台紙（幅広な部分Ｗ）を最小限に抑えることができ、製造コストの低減を図ることが可能となる。
【００２９】
また、切込線２２，２２は、直線Ｌ１に直交する直線Ｌ２，Ｌ３に沿ってラベル全体の一端縁（つまみ部形成端縁１０ａ及びつまみ部２１の先端部２１ａ）から分断部３の端部３ａに向かうほど幅が狭くなるように形成されている。換言すれば、切込線２２，２２は、所定の幅を有する凹み（例えば、Ｖ字状の凹み）として形成されている。したがって、つまみ部２１は、切込線２２，２２によってそのつまみ部２１に隣接するラベル本体１０のつまみ隣接部１１から所定距離離間した状態で形成されている。これにより、つまみ隣接部１１の隣接端部１１ａとつまみ部２１の両側縁２１ｃ，２１ｃとが所定距離離間しているので、つまみ隣接部１１の裏面に塗布する粘着層４がつまみ部２１に濡れ広がることがなくなり、安定してつまみ隣接部１１の裏面全体を粘着面として形成することができる（安定してつまみ部２１の裏面全体を非粘着面として形成することができる）。ひいては、ラベル１を容器２に貼付したときに、つまみ隣接部１１が隣接端部１１ａから捲り上がることがなくなるので、ラベル本体１０がつまみ部２１（分離ラベル部２０）近傍で安定したグリップ力（粘着力）を確保することができ、つまみ部２１を摘んで引っ張ったときに分断部３の端部３ａを分断し易い構造となっている。
【００３０】
なお、２つの切込線２２，２２は、同じ深さｄの凹みとして形成されている。すなわち、切込線２２の底部２２ａ，２２ａから分断部３の端部３ａまで距離が等しくなるように形成されている。これにより、分離ラベル部２０を分離する際に、つまみ部２１を摘んで引っ張っると、両側の分断部３の端部３ａに対して均等に力が働き、容易に両側の分断部３の分断を開始することができる。
【００３１】
図３に戻り、以上説明したラベル１は、つまみ部２１の基端部２１ｂが容器２の軸線Ｏ１方向に沿うようにラベル本体１０と分離ラベル部２０とが分離前の状態において一体的に容器２の外周面２ａに貼付される。このとき、軸線Ｏ１方向から見ると、図４に示すように、つまみ部２１が基端部２１ｂにおける接線Ｍに沿った方向に延出するように容器２の外周面２ａから立ち上がって形成される。
【００３２】
すなわち、つまみ部２１は、裏面が容器２の外周面２ａと粘着しない非粘着面で形成されているので、容器２の外周面２ａに張り付くことなく、容器２に貼り付ける前の真っ直ぐな状態が保たれて浮き上がるように立ち上がっている。また、つまみ部２１の両側縁２１ｃに隣接するラベル本体１０のつまみ隣接部１１の裏面には粘着層４が形成されて、容器２の外周面２ａに粘着されている。
【００３３】
そして、この容器２はラベル１が貼付された状態で病院などへ出荷される。図５は医薬品容器用ラベルの使用状態を説明する図である。図５（ａ）に示すように、医療現場には点滴等の輸液容器９が用意されており、通常この輸液容器９の薬剤は、容器２に適宜注射針などを取り付けて容器２内の薬剤を輸液容器９内に混注した後に患者に投与される。その際、医療従事者はつまみ部２１を指（図示せず）で摘んで、分断部３に沿って第２表示部Ｄ２が表示された分離ラベル部２０をラベル本体１０から分離し、輸液容器９に貼付する（図５（ｂ）参照）。このように、上記のごとくつまみ部２１が容器２の外周面２ａから立ち上がって（浮き上がって）形成されているので、医療従事者は簡単につまみ部２１を摘むことができ医療作業（活動）をスムーズに行うことができる。ひいては、仮に医療従事者が一旦席を離れたとしても、その容器２内の薬剤を混注した輸液容器９には、薬剤情報（第２表示部Ｄ２）を表示する分離ラベル部２０が貼付されているので、その分離ラベル部２０を確認することで薬剤の誤使用を防止することができる。
【００３４】
次に、本発明の医薬品容器用ラベルに係る別の実施形態を、図面を参照しつつ説明する。なお、以下の説明では、上述した実施形態と異なる部分について主に述べ、重複する部分については同番号を付して説明を省略する。図６及び図７は、本発明の別の実施形態に係る医薬品容器用ラベルの表面図及び要部拡大図である。
【００３５】
図６（ａ）に示す医薬品容器用ラベル１Ａは、つまみ部２１の先端部２１ａがラベル本体１０のつまみ部形成端縁１０ａよりも外側に突出して形成されている。また、図６（ｂ）に示す医薬品容器用ラベル１Ｂは、つまみ部２１の先端部２１ａがラベル本体１０のつまみ部形成端縁１０ａよりも内側に奥まって形成されている。このように、ラベルや容器２の大きさによってつまみ部２１の大きさを自由度を持たせて形成することができ、これらラベルを容器２（図３参照）に貼付した際に、外周面２ａからの立ち上がりを適宜調節することができる。また、図６（ｃ）に示す医薬品容器用ラベル１Ｃは、切込線２２，２２（凹み）の底部から分断部３の端部３ａに向かって延びるスリット部２９，２９が形成されている。これにより、スリット部２９，２９（切込線２２，２２）と分断部３との距離が小さくなり、分離ラベル部２０の分離を一層簡単に行うことが可能となる。
【００３６】
また、図７（ａ）に示す医薬品容器用ラベル１Ｄは、所定の間隔を隔てて形成される切込線２２，２２の一方が他方よりも長さα分だけ長く（深く凹むように）形成されている。図７（ｂ）に示す医薬品容器用ラベル１Ｅは、切込線２２，２２が単にスリット状に切り込んだ状態で形成されている。図７（ｃ）に示す医薬品容器用ラベル１Ｆは、つまみ部２１を含み分離ラベル部２０の端部２０ａがラベル全体（ラベル１Ｆ）の周縁部１ａの一部を構成している。そして、１つの切込線２２によってつまみ部２１が形成されている。これらの医薬品容器用ラベルによっても、医薬品容器２に貼付したときにつまみ部２１は外周面２ａから立ち上がり、操作性に優れるとともに、製造コストの低減を図ることが可能である。
【００３７】
なお、本発明は、上記実施例に限定されるものではなく、特許請求の範囲の趣旨を逸脱しない限りにおいて、目的、用途に応じて当業者の知識に基づく種々の変更が可能である。
【図面の簡単な説明】
【００３８】
【図１】本発明の実施形態に係る医薬品容器用ラベルの表面図、裏面図及びＡ−Ａ断面図。
【図２】図１のＢ部分における要部拡大図。
【図３】本発明の実施形態に係る医薬品容器の斜視図及び要部拡大図。
【図４】図３における軸線Ｏ１方向から見た一部省略した拡大図。
【図５】医薬品容器用ラベルの使用状態を説明する図。
【図６】本発明の別の実施形態に係る医薬品容器用ラベルの表面図及び要部拡大図。
【図７】図６に続く別の実施形態に係る医薬品容器用ラベルの表面図及び要部拡大図。
【図８】従来の医薬品容器用ラベルを示す説明図。
【符号の説明】
【００３９】
１，１Ａ，１Ｂ，１Ｃ，１Ｄ，１Ｅ，１Ｆ  医療容器用ラベル（ラベル）
２    医薬品容器（容器）
３    分断部
４    粘着層
５    非粘着層（非粘着面）
１０  ラベル本体
１１  つまみ隣接部
２０  分離ラベル部
２１  つまみ部
２２  切込線
Ｄ１  第１表示部
Ｄ２  第２表示部
Ｏ１  軸線
【図１】
2008268567.tif 000003
【図２】
2008268567.tif 000004
【図３】
2008268567.tif 000005
【図４】
2008268567.tif 000006
【図５】
2008268567.tif 000007
【図６】
2008268567.tif 000008
【図７】
2008268567.tif 000009
【図８】
2008268567.tif 000010